(57)【要約】      （修正有）【課題】被包装品を手で下げてバランス良く持ち運こびのできる包装状態にできる風呂敷を提供する。【解決手段】一方の対角線上の両隅部１ａ，１ａを被包装品ａを存して互いに結ぶシート主体１の他の一方の対角線上の両隅部１ｂ，１ｂに、折り返し状にした両隅部１ｂ，１ｂの端部をシート主体１に縫着して前記一方の対角線と平行する筒状部片４と筒状部片４の軸線方向に長い指先挿通用の窓口６をそれぞれ設ける。各筒状部片４，４には芯材５を嵌挿して把手２と成し、互いに係離可能に止着する雌雄材７ａ，７ｂで成る止め具７の雌材７ａを、互いに重ね合わせたときの一方の把手２の筒状部片４の対向面に、また、雄部材７ｂを他の一方の把手２の筒状部片４の対向面にそれぞれ装置する。【選択図】図１
2005132411.tif 000002
【特許請求の範囲】
【請求項１】
一方の対角線上の両隅部を被包装品を存して互いに結ぶシート主体の他の一方の対角線上の両隅部に、折返し状にした該隅部の端部を前記シート主体に縫着して前記一方の対角線と平行する筒状部片を設け、前記各筒状部片には芯材を嵌挿して把手片と成すと共に、互いに係離可能に止着する雌雄材で成る止め具の雌材を、互いに重ね合わせたときの前記一方の把手の筒状部片の対向面に、また、雄部材を他の一方の把手の筒状部片の対向面にそれぞれ装置した、風呂敷。
【発明の詳細な説明】
【技術分野】
【０００１】
本発明は風呂敷に関するものである。
【背景技術】
【０００２】
風呂敷は、対向線上の両隅部を互いに結んで被包装物を包んで該被包装品を持ち運こぶために用いるため、手に下げての持ち運こびができない、という欠点がある。
【０００３】
この欠点を回避するために、隅部に切目を設けて該切目を指先挿通用の孔に転用させて手で下げる為の孔を設けた構成のもの（例えば、特許文献１）や、隅部に紐体をリング状にして取付け、該紐体を把手として適用するようにした構造のものがある（例えば、特許文献２）。
【０００４】
【特許文献１】実用新案登録第３０１５６２２号公報
【０００５】
【特許文献２】実用新案登録第３０９２３９３号公報
【発明の開示】
【発明が解決しようとする課題】
【０００６】
前記従来例は、シート主体に切目を設けたり、紐体をリング状にして取付けたりして、把手に供して手で下げて物品を持ち運こびすることを期待するものではあるが、切目等に指先を入れて手に下げたときは、被包装品の荷重が構造的に一点に集中し易く、耐荷重性に問題があり、また、持ち運こび（携帯）時にバランスがとりにくく、手で下げて持ち運こぶために供するには必ずしも実用的ではない。
【０００７】
本発明は斯様な従来例の欠点に着目し、被包装品を手で下げて持ち運こぶためのものとしても不都合なく適用することのできる風呂敷を提供すべく創案したものである。
【課題を解決するための手段】
【０００８】
一方の対角線上の両隅部を被包装品を存して互いに結ぶシート主体の他の一方の対角線上の両隅部に、折返し状にした該隅部の端部を前記シート主体に縫着して前記一方の対角線と平行する筒状部片と該筒状部片の軸線方向に長い指先挿通用の窓口をそれぞれ設け、前記各筒状部片には芯材を嵌挿して把手片と成すと共に、互いに係離可能に止着する雌雄材で成る止め具の雌材を、互いに重ね合わせたときの前記一方の把手の筒状部片の対向面に、また、雄部材を他の一方の把手の筒状部片の対向面にそれぞれ装置した構成としたものである。
【発明の効果】
【０００９】
本発明によれば、一方の対角線上の両隅部を結んだ後、他の一方の対角線上の把手を止着具で互いに止着することにより、被包装品の手で下げて持ち運こぶ状態を得られ、この状態において把手は筒状片とこれに嵌挿した芯材で構成し、しかも、シート主体の一方の対角線に平行位置に沿わせて長くしてあるから、バランスよく手で下げられ、かつ、被包装品の荷重の分散も図れ、持ち運こびに好適な風呂敷を提供できる。
【００１０】
また、把手片同士を止着した後、他の一対の隅角部を該把手片の外側において結ぶことによって従前と同様の被包装物の包装状態も簡単に得ることができる。
【実施例】
【００１１】
図面は本発明に係る風呂敷の一実施例を示し、図１は平面図、図２は手提げ用として被包装物を包装した状態の平面図、図３は手提げ状態時の斜視図、図４は把手部の一部欠截拡大正面図、図５は互いに止着した状態の把手の断面図である。
【００１２】
図示１は、本発明に係る風呂敷Ａのシート主体で、シート主体１はほぼ方形状の布シートで成り、一方の対角線上の両隅部１ａ，１ａを被包装物ａを介して互いに結び合わせ、他の一方の対角線上の両隅部１ｂ，１ｂに把手２を設けて互いに重ね合わせ、該把手２を利用して手で下げて前記被包装物ａの持ち運こびをできるようにしたものである。
【００１３】
把手２は、前記隅部１ｂにおける端部をシート主体１側に折り返して端部とシート主体１とを長穴輪郭状のミシン目を入れて互いに縫着して、該縫着部３と前記隅部１ｂの端縁間に設けた該筒状部片４に芯材５を嵌挿して構成し、この把手２に隣接する長穴輪郭状のミシン目で成る前記逢着部３内をミシン目に沿わせて切り抜いて指先挿通用の横長の窓口６を設け、該窓口６に指先を挿通できるようにして把手２の使い勝手を良好にしてある。
【００１４】
把手２と窓口６は、把手２にあっては軸線が、また、窓口６にあっては長手側の端縁（逢着部３部分）が前記一方の対角線（仮想）に平行するような関係に配してある。
【００１５】
図示７は、一対の雌雄材７ａ，７ｂで成る止め具で、前記把手２，２を重ね合わせたときの一方の把手２の前記筒状部片４の相対向面に雌材７ａを、他の一方の把手２の前記筒状部片４の相対向面に雌材７ｂをそれぞれ止着してある。
【００１６】
実施例の止め具７は所謂スナップ形式のものを用いているが、面ファスナーでも差し支えのないことは勿論で、要は、手を離したときでも把手２，２同士が互いに止着された関係にあるものであれば良い。止着された関係により手を離しても、内容物、すなわち、被包装物ａが露出することがなく、外観的見栄えが良好で、人に知られることもない。
【００１７】
また、把手２を構成する芯材５は、実施例では厚紙製の長片で構成してあるが、樹脂、金属等素材は厚紙に限る必要はない。例えば、木製の断面円形の棒体で構成しても良く、この場合は該棒体の径にもよるが、窓口６を省略できることもあると考えられる。
【００１８】
なお、前記の隅部１ａ，１ａ、１ｂ，１ｂ間のそれぞれの対角線位置にはミシン目によって表示線Ｓを設けてあり、該表示線Ｓは前記被包装物ａを包む際の位置合わせの指標となるもので、表示線Ｓ，Ｓ同士の交叉部ｐがシート主体１の中央であることを示している。
【００１９】
しかして、表示線Ｓを利用してシート主体１の中央部に被包装物ａを載置し、一方の対角線上の両隅部１ａ，１ａ側を互いに結び、他の一対の隅部１ｂ，１ｂ側の把手２，２を重ね合わせて止め具７を利用して互いに止着状態におくことにより手で下げて持ち運こべる状態を得られ、他方、把手２，２同士を止着後、一対の隅部１ａ，１ａを該把手２，２の外側から結び合わせるようにすることにより、通常の風呂敷に用いられる包装状態（抱えて持ち運こびのできる）を得られるのである。
【図面の簡単な説明】
【００２０】
【図１】平面図。
【図２】手提げ用として被包装物を包装した状態の平面図。
【図３】手提げ状態時の斜視図。
【図４】把手部の一部欠截拡大正面図。
【図５】互いに止着した状態の把手の断面図。
【符号の説明】
【００２１】
１      シート主体
２      把手
４      筒状部片
５      芯材
６      窓口
７      止め具
【図１】
2005132411.tif 000003
【図２】
2005132411.tif 000004
【図３】
2005132411.tif 000005
【図４】
2005132411.tif 000006
【図５】
2005132411.tif 000007